(57)【特許請求の範囲】
【請求項１】
画像出力装置から調整用画像を印刷出力させる印刷出力制御手段と、
前記画像出力装置から出力された前記調整用画像を測色することにより得られた測色値を取得する取得手段と、
アピアランスパラメータを用いて、前記測色値から画像表示装置の表示色情報を算出する算出手段と、
ユーザ指示に応じて、前記アピアランスパラメータを調整する調整手段と、
前記表示色情報に基づく画像と、アピアランスパラメータとを表示するユーザインタフェースであって、前記アピアランスパラメータが調整された場合には、該調整されたアピアランスパラメータを用いて算出された前記表示色情報に基づく画像と、該調整されたアピアランスパラメータとを表示するユーザインタフェースを前記画像表示装置に表示させる表示制御手段と、
前記調整されたアピアランスパラメータ、前記画像表示装置のデバイスプロファイルおよび前記画像出力装置のデバイスプロファイルを用いて、入力画像データに対して色変換を行なう色変換手段と、
前記色変換手段により色変換された入力画像データを前記画像出力装置に出力する出力制御手段と
を備えることを特徴とする画像処理装置。
【請求項２】
前記ユーザインターフェースは、さらに、前記画像出力装置のデフォルトの白色点と、前記画像表示装置のデフォルトの白色点と前記画像表示装置の調整された白色点とがプロットされた色度図座標を備えることを特徴とする請求項１記載の画像処理装置。
【請求項３】
前記調整用画像がグレイスケール、および、一次色と二次色とによるパッチを含むことを特徴とする請求項１または２記載の画像処理装置。
【請求項４】
コンピュータを請求項１乃至３のいずれか１項に記載の画像処理装置として機能させるためのコンピュータプログラム。
【請求項５】
画像出力装置から調整用画像を印刷出力させる印刷出力制御工程と、
前記画像出力装置から出力された前記調整用画像を測色することにより得られた測色値を取得する取得工程と、
アピアランスパラメータを用いて、前記測色値から画像表示装置の表示色情報を算出する算出工程と、
ユーザ指示に応じて、前記アピアランスパラメータを調整する調整工程と、
前記表示色情報に基づく画像と、アピアランスパラメータとを表示するユーザインタフェースであって、前記アピアランスパラメータが調整された場合には、該調整されたアピアランスパラメータを用いて算出された前記表示色情報に基づく画像と、該調整されたアピアランスパラメータとを表示するユーザインタフェースを前記画像表示装置に表示させる表示制御工程と、
前記調整されたアピアランスパラメータ、前記画像表示装置のデバイスプロファイルおよび前記画像出力装置のデバイスプロファイルを用いて、入力画像データに対して色変換を行なう色変換工程と、
前記色変換工程において色変換された入力画像データを前記画像出力装置に出力する出力制御工程と
を備えることを特徴とする画像処理装置の制御方法。
【発明の詳細な説明】
【技術分野】
【０００１】
本発明は、カラーマッチング技術、特に、モニタとプリンタ等、異なるデバイスにおいて表示／出力された画像のカラーマッチングを行うための技術に関する。
【背景技術】
【０００２】
従来、モニタとプリンタ等、異なるデバイスのカラーマッチングを行う際、モニタのような光源色においては、［数式１］を、一方、印刷物のような物体色においては［数式２］を用いてＸＹＺ三刺激値を求める。さらに［数式３］を用いてＣＩＥＬａｂ値を求めた後、モニタ表示色、および印刷された色のＬａｂ値が一致するように、色再現を行っている。
［数式１］
0004721419.tif 000002
［数式２］
0004721419.tif 000003
［数式３］
0004721419.tif 000004
さらに、デバイス間の白色基準が異なる場合には、それを補正するため、色順応の式を用い、白色基準の相違を補正している。例えば、内蔵されたセンサにより画像観察環境の白色情報等を測定し、色順応変換式を用いて画像信号を補正する方法が提案されている（特許文献１を参照。）。
【特許文献１】特開平１０−７０６５３号公報
【発明の開示】
【発明が解決しようとする課題】
【０００３】
しかしながら、提案手法のように、観察環境として、内蔵されたセンサ等による測定データのみを用いて視覚の色順応を補正する場合、十分な精度を得られない場合がある。例えば、モニタ表示画像（現画像）を、プリンタで出力し（再現画像）、両者を比較するという、いわゆるモニタマッチングを行う場合、画像観察環境として、測定データのみを用いた色順応補正では、色の"見え"が一致しないという問題がある。
【０００４】
これは以下のような理由による。モニタとプリンタ等、異なるデバイス間において、画像を見比べる場合、まず、モニタ表示画像の"見え"は、モニタ白色点や、照明光源、観察環境に加え、プリンタ観察画像の影響も受けてしまう。逆に、プリンタ出力画像の"見え"も、プリンタ白色点や、照明光源、観察環境に加え、モニタ観察画像の影響を受けてしまう。このように、モニタ、あるいはプリント物をそれぞれ単体で観察した場合と、両者を見比べた場合には、色の"見え"が違ってしまうことがある。
【０００５】
即ち、モニタ画像とプリント物とを見比べた時における人間の目の順応状態は、モニタ或いはプリント物単体で画像を観察する場合とは、異なる順応状態になっている。よって、これを考慮しない従来の色順応モデルでは、モニタ表示画像とプリンタ印刷画像、両者の色の見えが一致しないという問題を生じてしまう。
【０００６】
そこで本発明は、異なる２つのデバイス間のカラーマッチング処理において、容易にカラーアピアランスパラメータを調整可能とすることを目的とする。
【課題を解決するための手段】
【０００７】
上記課題を解決するための本発明は、画像出力装置から調整用画像を印刷出力させる印刷出力制御手段と、前記画像出力装置から出力された前記調整用画像を測色することにより得られた測色値を取得する取得手段と、アピアランスパラメータを用いて、前記測色値から画像表示装置の表示色情報を算出する算出手段と、ユーザ指示に応じて、前記アピアランスパラメータを調整する調整手段と、前記表示色情報に基づく画像と、アピアランスパラメータとを表示するユーザインタフェースであって、前記アピアランスパラメータが調整された場合には、該調整されたアピアランスパラメータを用いて算出された前記表示色情報に基づく画像と、該調整されたアピアランスパラメータとを表示するユーザインタフェースを前記画像表示装置に表示させる表示制御手段と、前記調整されたアピアランスパラメータ、前記画像表示装置のデバイスプロファイルおよび前記画像出力装置のデバイスプロファイルを用いて、入力画像データに対して色変換を行なう色変換手段と、前記色変換手段により色変換された入力画像データを前記画像出力装置に出力する出力制御手段とを備えることを特徴とする。
【発明の効果】
【０００９】
本発明によれば、異なる２つのデバイス間のカラーマッチング処理において、容易にカラーアピアランスパラメータを調整可能とすることができる。
【発明を実施するための最良の形態】
【００１０】
以下、添付する図面を参酌して、実施形態について説明する。
【００１１】
［第１の実施形態］
以下、第１の実施形態について、図面を参照して詳細に説明する。図１は第１の実施形態に対応する画像処理装置の構成の一例を示すブロック図である。図１において、１は本実施形態に対応する画像処理装置である。２はＣＲＴモニタや液晶モニタ等の、画像表示用のモニタとしての画像表示装置である。３は画像表示装置２における画像表示を制御するための画像表示制御部である。４はインクジェットプリンタやレーザプリンタ等の、画像を印刷出力するための画像出力装置である。５は画像出力装置４における画像の印刷出力を制御するための画像出力制御部である。
【００１２】
６は画像出力装置４にて印刷出力されたパッチ画像の色を測定する測色装置である。７は画像表示装置２に表示される画像及び画像出力装置４にて印刷出力された画像の観察する際の色の"見え"を算出するために用いるアピアランスパラメータを調整するアピアランスパラメータ調整部である。８はアピアランスパラメータ調整部７にて調整されたアピアランスパラメータを記憶するアピアランスパラメータ記憶部である。９は画像表示装置２及び画像出力装置４のデバイスプロファイルを記憶するプロファイル記憶部である。１０は、アピアランスパラメータ記憶部８に記憶されているアピアランスパラメータ及びプロファイル記憶部９に記憶されているデバイスプロファイルを用いてＬＵＴを作成するＬＵＴ作成部である。
【００１３】
１１はＬＵＴ作成部１０にて作成されたＬＵＴを記憶するＬＵＴ記憶部である。１２はアピアランスパラメータ記憶部８に記憶されているアピアランスパラメータ、又は、ＬＵＴ記憶部１１に記憶されているＬＵＴを用いて、入力データの色変換を行う色変換部である。１３は画像処理装置１に画像データを読み込む画像データ入力部である。１４はハードディスクやＣＤ−ＲＯＭ等の、画像データを記憶する画像データ記憶部である。
【００１４】
＜全体処理＞
次に、図２を参照して、本実施形態に対応する画像入出力処理を説明する。図２は、画像処理装置１にて行われる本実施形態に対応する画像入出力処理の一例を示すフローチャートである。
【００１５】
図２において、Ｓ２０１では、画像出力装置４にてパラメータ調整用パッチ（詳細は後述）を印刷出力する。次に、ステップＳ２０２では、ステップＳ２０１にて印刷出力されたパラメータ調整用パッチを、測色装置６を用いて測色する。更に、ステップＳ２０３では、アピアランスパラメータに、デフォルトで設定されている初期値を設定する。そして、ステップＳ２０４では、測色装置６にて測色されたパッチ測色値を、アピアランスパラメータ記憶部８に記憶されているアピアランスパラメータを用いて色変換部１２にて色変換し、モニタ表示色を算出する（詳細は後述）。
【００１６】
続いてステップＳ２０５では、画像表示制御部３により画像表示装置２を制御して、ステップＳ２０４にて算出されたモニタ表示色を表示する。
ステップＳ２０６では、ステップＳ２０１にて印刷出力されたパラメータ調整用パッチの色と、ステップＳ２０５にて表示されたモニタ表示パッチの色とが一致しているか否かの判定をユーザーから受けつける。もしユーザーにより一致しているとの判定を受けつけた場合は（ステップＳ２０６において「ＹＥＳ」）、ステップＳ２０８に移行する。一方、一致していないとの判定を受けつけた場合には（ステップＳ２０６において「ＮＯ」）、ステップＳ２０７に移行する。
【００１７】
まず、ステップＳ２０７では、画像表示装置２に図３に示すようなＵＩを表示し、ユーザからステップＳ２０６における比較時の色ずれを考慮したアピアランスパラメータの再調整を受けつける。
【００１８】
一方、ステップＳ２０８では、ステップＳ２０６にて、プリント物とモニタ表示の色が一致していると判定された時のアピアランスパラメータを、アピアランスパラメータ記憶部８に記憶する。続いてステップＳ２０９では、ＬＵＴ作成部１０にて、プロファイル記憶部９より、画像表示装置２及び画像出力装置４のデバイスプロファイルを読み込む。
【００１９】
更に、ステップＳ２１０では、ＬＵＴ作成部１０にて、ステップＳ２０９にて読み込んだデバイスプロファイルと、アピアランスパラメータ記憶部８に記憶されているアピアランスパラメータとを用いて、ＬＵＴを作成する。次にステップＳ２１１では画像入力部１３にて、画像データ記憶部１４に記憶されている画像データを画像処理装置１に読み込む。ステップＳ２１２では、色変換部１２において、ステップＳ２１１にて読み込んだ画像データを、ＬＵＴ記憶部１１に記憶されているＬＵＴを用いて色変換する。ステップＳ２１３では、画像出力制御部５により、ステップＳ２１２にて色変換された画像を、画像出力装置４より出力する。
【００２０】
以下、図２の各ステップにおける処理の詳細を説明する。
【００２１】
＜パラメータ調整用パッチ＞
ステップＳ２０１にて出力されるパラメータ調整用パッチは、例えばグレイスケール、及び一次色／二次色のプライマリとすることができる。但し、パッチはこれらに限定されるものではなく、例えば、ユーザがポートレートの色再現精度を重要視している場合には、肌色領域のパッチを加える等の変更を行っても良い。
【００２２】
即ち、ユーザが出力すべき色領域を十分に確認しながらパラメータを調整できるものであれば、パッチ構成は特に限定されるものではない。
【００２３】
＜モニタ表示色算出＞
次に、ステップＳ２０４におけるモニタ表示色の算出処理について説明する。ステップＳ２０４では、プリント物の測色値（例えばＸＹＺ三刺激値）と、色の"見え"が一致するようなモニタ表示色を算出する。色の"見え"を考慮した色順応変換式は、多数報告されているが、ここでは、国際照明委員会（ＣＩＥ）より報告されている、ＣＩＥＣＡＭ０２変換式を例にして説明を行う。
【００２４】
ステップＳ２０２にて測定された、プリント物のパッチ測色値を(ＸP, ＹP, ＺP) とすると、ステップＳ２０３にて設定されたアピアランスパラメータ (ＸW, ＹW, ＺW, ＬA, c, Ｎc, Ｆ, Ｙb) を用いて、モニタ表示色の三刺激値 (ＸM, ＹM, ＺM)に変換することが可能である。その後、プロファイル記憶部９に記憶されているモニタとしての画像表示装置２用のデバイスプロファイルを用いて、モニタのデバイスＲＧＢ値に変換する。これにより、プリントされたパッチと色の"見え"が等しい、モニタ表示用ＲＧＢ値を取得できる。
【００２５】
なお、上記では色順応変換式につきＣＩＥＣＡＭ０２変換式を用いることとしたが、本実施形態に対応する発明に適用可能な変換式は、これに限定されるものではない。例えば、Von Kries の色順応式等、ユーザが要求する精度を満足することができる変換式であれば、適用される変換式の種類が限定されることはない。
【００２６】
＜アピアランスパラメータ調整用ユーザーインタフェース＞
図３は、ステップＳ２０６にて、アピアランスパラメータを調整する際に用いるＵＩの一例を示す図である。図３において３０１は、ユーザによる確認のために、ステップＳ２０４にて算出されたモニタ表示色を表示するパッチ画像表示領域である。３０２は、ステップＳ２０３にて設定される画像表示装置２及び画像出力装置４のデフォルトのアピアランスパラメータの数値と、ユーザにより調整された画像表示装置２のアピアランスパラメータの数値とを表示するアピアランスパラメータ表示領域である。
【００２７】
３０３は、アピアランスパラメータの白点 (ＸW, ＹW, ＺW) から算出される色度 (ｘW, ｙW)、及び、輝度、更には部分順応比率を表示する領域である。また、３０４は、上記アピアランスパラメータの色度をプロットした、色度座標の表示領域である。ここでは、画像出力装置４のデフォルト白色点（プリンタデフォルト白色点）と、画像表示装置２のデフォルト白色点（モニタデフォルト白色点）、更には、画像表示装置２について調整された白色点（モニタ調整白色点）が示されている。
【００２８】
ユーザは、アピアランスパラメータ(ＸW, ＹW, ＺW, ＬA, c, Ｎc, Ｆ, Ｙb)を直接調整するだけでなく、色度座標３０４を確認しながら、(ｘW, ｙW) を調整できる。また、部分順応比率を調整しながら、最適なアピアランスパラメータを決定できる。ここで、部分順応比率とは、人間の目が、モニタとプリント物に、それぞれどの程度の比率で順応しているかを表す値である。
【００２９】
＜ＬＵＴ作成＞
次に、ステップＳ２１０におけるＬＵＴ作成処理について説明する。一般に、光源色により表現される画像表示装置２のようなモニタの色再現範囲（以下色域と記す）と、物体色により表現される画像出力装置４のようなプリンタ等の色域とは、その形状が異なる。ステップＳ２０４からステップＳ２０７における色順応補正は、"色の見え"を一致させるものであり、異なるデバイスの色域形状の相違は考慮されていない。そこで、画像出力装置４で印刷出力された色を、色順応補正により画像表示装置４における表示の対応する色に変換した後、モニタの色域外の色はガマットマッピングと呼ばれる色域圧縮処理によって、モニタの色域内の色に変換しなければならない。
【００３０】
一般に、色域圧縮を行っても色の見えがなるべく維持されるようにするため、カラリメトリックと呼ばれる色域圧縮処理が用いられている。図４は、一般的なカラリメトリックによる色域圧縮処理の概念を説明するための図である。図４において、４０１は、モニタ（画像表示装置２）の色域を示し、４０２は、プリンタ（画像出力装置４）の色域を示している。４０３は、モニタ色域４０１内であって、かつ、プリンタ色域４０２外の点を示し、これが色域圧縮処理におけるマッピング対象となる。４０４は、モニタ色域４０１内からプリンタ色域４０２内にマッピングされた後の点を示す。４０５は、モニタ色域４０１とプリンタ色域４０２の重複範囲を示しており、この範囲に含まれる色は維持される。
【００３１】
このように、モニタ色域４０１内の点であっても、プリンタ色域４０２内の点は入力された値が保持され、プリンタ色域４０２外の点に関しては、色域外核の最も近い点に変換される。
【００３２】
色域圧縮処理は、モニタ色域４０１内の代表点（例えばＲＧＢそれぞれ９グリッド間隔の組み合わせからなる７２９点）について、色域圧縮処理を行い、マッピング後の色値を求める。そして、代表点以外の入力点に関しては、代表点のマッピング後の色値から補間処理（例えば、四面体補間）を行い、マッピングの色値を求める。
【００３３】
なお、色域圧縮の方法の種類は、上記のカラリメトリックに限られるものではなく、色域外の色を色域内の点に変換する方法であれば、限定されるものではない。
【００３４】
本実施形態によれば、異なる２つのデバイス間のカラーマッチング処理において、各デバイス単体で画像を観察した場合と順応状態が異なる場合においても、容易にパラメータ調整を行って、良好なカラーマッチング結果を得ることができる。具体的には、良好なカラーマッチング結果を得るためのパラメータ調整として、数色のパッチについて、色の"見え"が等しくなるようにアピアランスパラメータの調整を行うだけでよい。
【００３５】
［第２の実施形態］
次に、第２の実施形態について、図面を参照して詳細に説明する。図５は第２の実施形態に対応する画像処理装置の構成の一例を示すブロック図である。図５において、５０１は本実施形態に対応する画像処理装置である。５０２はＣＲＴモニタや液晶モニタ等の、画像表示用のモニタとしての画像表示装置である。５０３は画像表示装置５０２における画像表示を制御するための画像表示制御部である。５０４はインクジェットプリンタやレーザプリンタ等の、画像を印刷出力するための画像出力装置である。５０５は画像出力装置５０４における画像の印刷出力を制御するための画像出力制御部である。
【００３６】
５０６は画像表示装置５０２に表示される画像及び画像出力装置５０４にて印刷出力された画像を観察するために色の"見え"を算出する際に用いるアピアランスパラメータを調整するアピアランスパラメータ調整部である。５０７はアピアランスパラメータ調整部５０６にて調整されたアピアランスパラメータを記憶するアピアランスパラメータ記憶部である。５０８は画像表示装置５０２及び画像出力装置５０４のデバイスプロファイルを記憶するプロファイル記憶部である。５０９は、アピアランスパラメータ記憶部５０７に記憶されているアピアランスパラメータ及びプロファイル記憶部５０８に記憶されているデバイスプロファイルを用いてＬＵＴを作成するＬＵＴ作成部である。
【００３７】
５１０はＬＵＴ作成部５０９にて作成されたＬＵＴを記憶するＬＵＴ記憶部である。５１１はアピアランスパラメータ記憶部５０７に記憶されているアピアランスパラメータ、又は、ＬＵＴ記憶部５１０に記憶されているＬＵＴを用いて、入力データの色変換を行う色変換部である。５１２は画像処理装置５０１に画像データを読み込む画像データ入力部である。５１３はハードディスクやＣＤ−ＲＯＭ等の、画像データを記憶する画像データ記憶部である。
【００３８】
＜全体処理＞
次に、図６を参照して、本実施形態に対応する画像入出力処理を説明する。図６は、画像処理装置５０１にて行われる本実施形態に対応する画像入出力処理の一例を示すフローチャートである。
まず、ステップＳ６０１では、画像出力装置５０４にてパラメータ調整用画像を印刷出力する。次に、ステップＳ６０２では、ステップＳ６０１にて印刷出力されたパラメータ調整用画像の印刷色を、プロファイル記憶部５０８に記憶されているプリンタプロファイルを用いて算出する。
【００３９】
次にステップＳ６０４では、ステップＳ６０２にて算出された画像の印刷色を、アピアランスパラメータ記憶部５０７に記憶されているアピアランスパラメータを用いて色変換部５１１にて色変換し、第１の実施形態と同様にモニタ表示色を算出する。更に、ステップＳ６０５では、ステップＳ６０４にて算出されたモニタ表示色を、画像表示部５０３において、画像表示装置５０２に表示する。
【００４０】
ステップＳ６０６では、ステップＳ６０１にて印刷出力されたパラメータ調整用画像の色と、ステップＳ２０５にて表示されたモニタ表示画像の色とが一致しているか否かの判定をユーザーから受けつける。もしユーザーにより一致しているとの判定を受けつけた場合は（ステップＳ６０６において「ＹＥＳ」）、ステップＳ６０８に移行する。一方、一致していないとの判定を受けつけた場合には（ステップＳ６０６において「ＮＯ」）、ステップＳ６０７に移行する。
【００４１】
まず、ステップＳ６０７では、第１の実施形態と同様に画像表示装置５０２に図３に示すようなＵＩを表示し、ユーザからステップＳ６０６における比較時の色ずれを考慮したアピアランスパラメータの再調整を受けつける。
【００４２】
一方、ステップＳ６０８では、ステップＳ６０６にて、プリント物とモニタ表示の色が一致していると判定された時のアピアランスパラメータを、アピアランスパラメータ記憶部５０７に記憶する。続いてステップＳ６０９では、ＬＵＴ作成部５０９にて、プロファイル記憶部５０８より、画像表示装置５０２及び画像出力装置５０４のデバイスプロファイルを読み込む。
【００４３】
更に、ステップＳ６１０では、ＬＵＴ作成部５０９にて、ステップＳ６０８にて読み込んだデバイスプロファイルと、アピアランスパラメータ記憶部５０７に記憶されているアピアランスパラメータとを用いて、ＬＵＴを作成する。次にステップＳ６１１では画像入力部５１２にて、画像データ記憶部５１３に記憶されている画像データを画像処理装置５０１に読み込む。ステップＳ６１２では、色変換部５１１において、ステップＳ６１１にて読み込んだ画像データを、ＬＵＴ記憶部５１０に記憶されているＬＵＴを用いて色変換する。ステップＳ６１３では、画像出力制御部５０５において、ステップＳ６１２にて色変換された画像を、画像出力装置５０４より出力する。
【００４４】
＜パラメータ調整用画像＞
本実施形態のステップＳ６０１にて出力されるパラメータ調整用画像について説明する。第１の実施形態においては、画像出力装置４によりパッチ画像を形成し、該パッチ画像の色再現を確認しながら、アピアランスパラメータを調整していた。これに対し、本実施形態では、所望の自然画像の色再現を確認しながらアピアランスパラメータを調整することを可能とする。即ち、ユーザは自分が出力したい画像を選択して、この画像に基づいてアピアランスパラメータの調整を行うことができる。
【００４５】
なお、第２の実施形態において使用するＵＩは、図３に示すＵＩとほぼ同じであり、パッチ画像表示領域３０１にパッチを表示する代わりに、自然画像が表示されることとなる。
【００４６】
本実施形態によれば、異なる２つのデバイス間のカラーマッチング処理において、各デバイス単体で画像を観察した場合と順応状態が異なる場合においても、容易にパラメータ調整を行って、良好なカラーマッチング結果を得ることができる。具体的には、良好なカラーマッチング結果を得るためのパラメータ調整として、所望の自然画像について、色の"見え"が等しくなるようにアピアランスパラメータの調整を行うだけでよい。
【００４７】
［その他の実施形態］
以上の第１及び第２の実施形態では、画像表示装置（２、５０２）としてモニタを例に上げ、画像出力装置（４、５０４）としてプリンタを例に挙げた。しかし、係る装置は、これらのデバイスに限定されるものではない。例えば、画像表示装置としてプロジェクタを用いてもよい。
【００４８】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００４９】
また、本発明の目的は、前述した機能を実現するソフトウェアのプログラムコードを記録した記憶媒体を、システムに供給し、そのシステムがプログラムコードを読み出し実行することによっても達成される。この場合、記憶媒体から読み出されたプログラムコード自体が前述した実施形態の機能を実現し、そのプログラムコードを記憶した記憶媒体は本発明を構成する。また、そのプログラムコードの指示に基づき、コンピュータ上で稼働しているオペレーティングシステム（ＯＳ）などが実際の処理の一部または全部を行い、その処理によって前述した機能が実現される場合も含まれる。
【００５０】
さらに、以下の形態で実現しても構わない。すなわち、記憶媒体から読み出されたプログラムコードを、コンピュータに挿入された機能拡張カードやコンピュータに接続された機能拡張ユニットに備わるメモリに書込む。そして、そのプログラムコードの指示に基づき、その機能拡張カードや機能拡張ユニットに備わるＣＰＵなどが実際の処理の一部または全部を行って、前述した機能が実現される場合も含まれる。
【図面の簡単な説明】
【００５１】
【図１】第１の実施形態に対応する画像処理装置の構成の一例を示すブロック図である。
【図２】第１の実施形態に対応する画像処理装置における処理の流れを示すフローチャートである。
【図３】第１の実施形態に対応する、アピアランスパラメータを調整するためのユーザーインタフェースの一例を示す図である。
【図４】第１の実施形態に対応するカラリメトリックによる色域圧縮方法を説明するための図である。
【図５】第２の実施形態に対応する画像処理装置の構成の一例を示すブロック図である。
【図６】第２の実施形態に対応する画像処理装置における処理の流れを示すフローチャートである。
【図１】
0004721419.tif 000005
【図２】
0004721419.tif 000006
【図３】
0004721419.tif 000007
【図４】
0004721419.tif 000008
【図５】
0004721419.tif 000009
【図６】
0004721419.tif 000010